(57)【要約】【課題】尿失禁を防ぐのに好適なショーツの提供。【解決手段】ショーツ１がクロッチ部４の内側に前後方向へ延びるブリッジ４１を有する。クロッチ部４の長さはブリッジ４１の長さよりも短いが弾性的に伸長することが可能で、伸長してブリッジ４１の長さと同じになると、ブリッジ４１を支えてブリッジ４１に取り付けた失禁パッドを着用者に密着させる。クロッチ部４は、中央部分４ａと両側部分４ｂとを有し、横方向Ｂの中央部分４ａにおける伸長力が横方向Ｂの両側部分４ｂの伸長力よりも大きい。【選択図】図２
2015048546.tif 000002
【特許請求の範囲】
【請求項１】
縦方向と横方向と前後方向とを有し、前胴回り部と後胴回り部とクロッチ部とが形成され、これら各部がショーツ着用者の肌に対向する内面を有し、前記クロッチ部の前端部分が前記前胴回り部に縫合される一方、前記クロッチ部の後端部分が前記後胴回り部に縫合され、前記クロッチ部の前記内面の側には前記前端部分と前記後端部分との間に延びるブリッジが形成されているショーツであって、
前記クロッチ部は、前記ショーツの前記縦方向と前記横方向とに弾性的な伸長性を有し、前記横方向の中央部分における前記前後方向の伸長力が前記横方向の両側部分における前記前後方向の伸長力よりも大きく、
前記前端部分と前記後端部分との間では、前記クロッチ部の長さが前記ブリッジの長さよりも短いことを特徴とする前記ショーツ。
【請求項２】
前記ブリッジは、１０％伸長時の前記前後方向の伸長力が前記クロッチ部の前記中央部における前記縦方向の伸長力よりも大きい請求項１記載のショーツ。
【請求項３】
前記ブリッジは非伸長性のものであって、前記クロッチ部が前記ブリッジの長さと同じ長さにまで前記前後方向へ弾性的に伸長しても、前記ブリッジは前記前後方向へは伸長することのない請求項１記載のショーツ。
【請求項４】
前記前胴回り部は、少なくとも前記横方向の中央部分における前記縦方向の伸長力が前記クロッチ部の前記中央部分における前記前後方向の伸長力よりも小さい請求項１−３のいずれかに記載のショーツ。
【請求項５】
前記ショーツの最上部を形成する前記前胴回り部と前記後胴回り部との頂部には、前記横方向へ弾性的に伸長可能であって前記ショーツの胴回り開口を周回するウエストベルト部が形成されている請求項１−４のいずれかに記載のショーツ。
【請求項６】
前記ウエストベルト部は、前記前胴回り部に形成される部分の前記横方向における伸長力が前記後胴回り部に形成されている部分の前記横方向における伸長力よりも小さい請求項５記載のショーツ。
【請求項７】
前記前胴回り部における前記ウエストベルト部では、前記前胴回り部を形成しているシート部材が重ね合せてあり、前記後胴回り部における前記ウエストベルト部では、前記後胴回り部を形成しているシート部材が重ね合せてあって、前記前胴回り部で重ね合せてある前記シート部材の枚数が前記後胴回り部で重ねてある前記シート部材の枚数よりも少ない請求項５または６記載のショーツ。
【請求項８】
前記ウエストベルト部は、前記ショーツの着用者の腸骨の上方で前記着用者に密着可能なものである請求項５−７のいずれかに記載のショーツ。
【発明の詳細な説明】
【技術分野】
【０００１】
この発明は、骨盤底筋のゆるみ等に起因する腹圧性尿失禁の症状がある場合に着用するのに好適なショーツに関する。
【背景技術】
【０００２】
骨盤底筋のゆるみ等に起因する尿失禁の症状はよく知られている。また、骨盤底筋のゆるみがある場合に着用するのに好適なパンティやガードルは従来公知ないし周知である。そのような尿失禁にそなえての吸尿パッドを着用することのできるショーツも知られている。
【０００３】
例えば、実開昭５８−４６３１３号公報（特許文献１）に記載の女性用骨盤サポーターは、伸縮性がある布で作った女性用パンティーに弾力性が強いベルトが取り付けられている。ベルトは、両腸骨稜、恥骨結合部、仙骨下方部分を圧迫するように取り付けられている。パンティーの前面には、適度の圧迫が下腹部に加えられることを目的に、伸縮性に乏しい布が取り付けられている。
【０００４】
実用新案登録第３０５５０９９号公報（特許文献２）に記載のショーツは、クロッチ部とクロッチ部の内面側に前後両端部が取り付けられた防水布とを有する。クロッチ部は伸縮性のものであり、防水布は非伸縮性のものであるか、クロッチ部よりも低い伸縮性を有するものである。防水布はまた、クロッチ部よりも３−３５ｍｍ程度長く作られている。このショーツを着用すると、クロッチ部が弾性的に伸長して防水布を下から支えるから、防水布の内面に取り付けられた生理用ナプキンは肌に密着することが可能になる。
【先行技術文献】
【特許文献】
【０００５】
【特許文献１】実開昭５８−４６３１３号公報（ＪＰ  １９８３−４６３１３  Ｕ）
【特許文献２】実用新案登録第３０５５０９９号公報（ＪＰ  ３０５５０９９  Ｕ）
【発明の概要】
【発明が解決しようとする課題】
【０００６】
従来のパンティーや体型補正衣類は、骨盤を下から上へと持ち上げる作用を有し、その作用と共に腹部を圧迫する作用を有するものでもあるが、腹圧性尿失禁を防いだり軽減したりするという効果については定かではない。例えば、特許文献１に記載のショーツは、出産後の女性や中高年の女性が経験することの多い腹圧性尿失禁についての対策が施されたものとはいい難い。特許文献２に記載のショーツは、生理用ナプキンに代えて吸尿パッドを使用することができるものであるが、防水布を支えるための伸縮性のクロッチ部は、それが弾性的に緊張状態になると、ショーツ着用者の鼠径部や脚の付け根を強く圧迫することになりかねない。
【０００７】
そこで、この発明では、腹圧性尿失禁等の尿失禁を防いだり軽減したりするのに好適であって、着用感のよいショーツの提供を課題にしている。
【課題を解決するための手段】
【０００８】
前記課題を解決するために、この発明が対象とするのは、縦方向と横方向と前後方向とを有し、前胴回り部と後胴回り部とクロッチ部とが形成され、これら各部がショーツ着用者の肌に対向する内面を有し、前記クロッチ部の前端部分が前記前胴回り部に縫合される一方、前記クロッチ部の後端部分が前記後胴回り部に縫合され、前記クロッチ部の前記内面の側には前記前端部分と前記後端部分との間に延びるブリッジが形成されているショーツである。
【０００９】
このショーツにおいて、この発明が特徴とするところは、次のとおりである。前記クロッチ部は、前記ショーツの前記縦方向と前記横方向とに弾性的な伸長性を有し、前記横方向の中央部分における前記前後方向の伸長力が前記横方向の両側部分における前記前後方向の伸長力よりも大きく、前記前端部分と前記後端部分との間では、前記クロッチ部の長さが前記ブリッジの長さよりも短い。
【発明の効果】
【００１０】
この発明に係るショーツは、失禁パッドを取り付けることのできるブリッジがクロッチ部の内側に形成されている。クロッチ部の長さはブリッジの長さよりも短いが、クロッチ部は弾性的に伸長してブリッジの長さと同じ長さになると、ブリッジを支えて失禁パッドをショーツの着用者に密着させることができる。そのクロッチ部は、横方向の中央部分における伸長力が横方向の両側部分の伸長力よりも大きいから、中央部分においてブリッジを確実に支えるとともに骨盤底筋を押し上げるように作用して腹圧性失禁を防ぐことができる。一方、伸長力の小さいクロッチ部の両側部分は、着用者の鼠径部や脚回りを圧迫することがない。
【図面の簡単な説明】
【００１１】
以下の図面は、この発明の特定の実施の形態を示しているが、発明に不可欠な構成の他に、この発明において選択的に使用することのできる構成およびこの発明においての好ましい実施の形態を含んでいる。
【図１】（ａ）と（ｂ）とによって、この発明に係るショーツの外面側を示す図。（ａ）は主として前身頃を示し、（ｂ）は主として後身頃を示す。
【図２】（ａ）と（ｂ）とによって、この発明に係るショーツの内面側を示す図。（ａ）は主として前身頃を示し、（ｂ）は主として後身頃を示す。
【図３】図１のＩＩＩ−ＩＩＩ線切断面の模式図。
【発明を実施するための形態】
【００１２】
添付の図面を参照して、この発明に係るショーツの詳細を説明すると、以下のとおりである。
【００１３】
図１の（ａ）において、ショーツ１は、前胴回り部２と、後胴回り部３と、クロッチ部４とを有し、前胴回り部２と後胴回り部３とによって胴回り開口１ａが形成され、前胴回り部２と後胴回り部３とクロッチ部４とによって一対の脚回り開口１ｂが形成されている。ショーツ１はまた、互いに直交する縦方向Ａと横方向Ｂとを有し、横方向Ｂの寸法を二等分する線Ｃ−Ｃに関して対称に作られている。縦方向Ａと横方向Ｂとに直交する方向は、ショーツ１の前後方向である。ただし、図１におけるショーツ１では、前胴回り部２と後胴回り部３とが重ねてある。ショーツ１において、着用者(図示せず)の肌に対向する面は内面であり、着衣に対向する面は外面である。なお、この発明に係るショーツは、着用者の腰部に密着して、その腰部を覆う脚部のない下着であって、ブリーフと呼ばれたりアンダーパンツと呼ばれたりすることもある。
【００１４】
前胴回り部２と後胴回り部３とは、縦方向Ａと横方向Ｂとに弾性的に伸長可能な弾性生地、例えばポリウレタン繊維を含んだツーウェイストレッチ生地であるベア天竺によって形成されている。すなわち、この場合の弾性生地は、前胴回り部２と後胴回り部３それぞれのほぼ全体に広がる身生地１１，１２となるものである。図示例において、前胴回り部２の幅（横方向Ｂの寸法）は、後胴回り部３の幅よりもやや狭く、図１の（ａ）には前胴回り部２と後胴回り部３との縫合線６が見えている。ショーツ１において、縫合線６に沿う部分は着用者（図示せず）の脇部を覆う部分７である。ショーツ１の最上部である前胴回り部２と後胴回り部３との頂部には、胴回り開口１ａの頂縁２０があって、その頂縁２０に沿ってウエストベルト部２１が形成されている。ウエストベルト部２１は、横方向Ｂへ弾性的に伸長、収縮可能であって、後記ブリッジ４１の最下端部４１ｄ（図２の（ａ）参照）からの縦方向Ａにおける距離Ｒが着用者の腸骨の上方に届く長さにあって、着用したショーツ１のずり下がりを防ぐことができる。
【００１５】
クロッチ部４は、その外面の全体を形成する身生地の一例として、前胴回り部２の身生地１１と共布の弾性生地が使用されている。また、後記図２で説明されるように、クロッチ部４の横方向Ｂにおける中央部分４ａの内面には、外面を形成している弾性生地に対して、縦方向Ａへ弾性的に伸長する生地、例えばパワーネットが重ね合わせて縫合されている。それゆえ、図１の（ａ）のクロッチ部４には、前胴回り部２との縫合線１３と、パワーネットを中央部分４ａに取り付けるための縫合線１６とが見えている。クロッチ部４に関して、横方向Ｂは、幅方向といい換えることもできる。
【００１６】
図１の（ｂ）において、後胴回り部３の横方向Ｂの中央部分には、ショーツ着用者の臀裂（図示せず）を覆うように第１中間シート１７ａと、第２中間シート１７ｂとが縦方向Ａに延びている。第１中間シート１７ａは、縦方向Ａにおいて非伸長性である生地、例えばポリエステル繊維製のマーキゼットによって形成されていて、弾性的にも、非弾性的にも伸長することがない。第２中間シート１７ｂは、縦方向Ａにおいて弾性的に伸長可能な生地、例えばポリウレタン繊維を９−１１質量％含むモダール天竺またはベア天竺によって形成されていて、着用後のショーツ１において縦方向Ａへ弾性的に伸長、収縮可能である。第１中間シート１７ａは、縫合線１４においてクロッチ部４に縫合され、縫合線１９によって第２中間シート１７ｂに縫合されている。第１、第２中間シート１７ａ、１７ｂは、一対の縫合線１８によって、後胴回り部３における左臀部３Ｌと右臀部３Ｒとに縫合されている。なお、この発明においての左と右とは、ショーツ１を着用後の着用者（図示せず）にとっての左と右とを意味している。図１の（ｂ）のクロッチ部４には、後胴回り部３との縫合線１４と縫合線１６とが見えている。
【００１７】
図２は、図１のショーツ１を裏返すことによってショーツ１の内面を示す図であり、（ａ）は主として前胴回り部２の内面を示すとともに、クロッチ部４の内側に位置するブリッジ４１を部分的に破断して示している。（ｂ）は、主として後胴回り部３の内面を示している。図２の（ａ）、（ｂ）において、後記図３で説明されるように、ブリッジ４１はクロッチ部４よりも下方に向かって長くなるように前胴回り部２と後胴回り部３とから垂下している。
【００１８】
図２の（ａ）においては、ショーツ１の脇部を覆う部分７のうちで前胴回り部２に属する部分７ａには、ショーツ１の第１当て布３１として前胴回り部２における身生地１１よりも大きい伸長力を有する生地、例えば一枚のパワーネットが縫合線６と縫合線３２，３３，３４とにおいて前胴回り部２に縫合されている。縫合線３２は、ウエストベルト部２１を形成するためのもので、前胴回り部２の身生地１１とそれを内面側に折り返した部分の生地との重ね合わせ、および後胴回り部３の身生地１２とそれを内面側に折り返した部分の生地との重ね合わせとに対して形成されている。縫合線３４は、第１当て布３１を前胴回り部２に縫合するためのものである。脇部を覆う部分７のうちで後胴回り部３に属する部分７ｂには、ショーツ１における第２当て布３６として後胴回り部３における弾性生地よりも大きい伸長力を有する生地、例えば二枚重ねにしてあるパワーネットが縫合線６と縫合線３２，３３とにおいて後胴回り部３に縫合されている。第１当て布３１と第２当て布３６とは、ウエストベルト部２１の内側にまで延びていて、前胴回り部２の身生地１１または後胴回り部３の身生地１２によってサンドウィッチされている。
【００１９】
クロッチ部４は、その外面を形成している身生地に対して弾性的に伸長するパワーネットが縫合線１６において縫合されていて、そのパワーネットが横方向Ｂの中央部分４ａに位置している。横方向Ｂにおいて、中央部分４ａの外側に位置する両側部分４ｂはクロッチ部４の身生地だけで形成されている。それゆえ、クロッチ部４では、両側部分４ｂが中央部分４ａよりも容易に後記前後方向Ｄ（図３参照）へ弾性的に伸長、収縮する。このような両側部分４ｂは、前後方向Ｄにおける伸長力が中央部分４ａの伸長力よりも小さく、ショーツ１の着用中には着用者の鼠径部や脚回りを圧迫することがない。一方、大きい伸長力を有する中央部分４ａは、ブリッジ４１を支えるための強い力を発揮することができる。
【００２０】
クロッチ部４の内面側では、縫合線１３から図の下方へ延びるようにブリッジ４１が垂下している。ブリッジ４１は、互いに重なり合う内面シート５１、中間シート５２、外面シート５３によって形成されている。内面シート５１は、着用者の肌と向かい合うもので、非伸長性であるかまたは容易に伸長することのないシート、より好ましくは非伸長性で不透水性のシートによって形成されていて、ショーツ１と併用する失禁パッドや吸尿パッド（図示せず）を重ね合わせるのに適している場合のものと、吸水性および／または吸湿性のシートによって形成されていて、肌に接触させて使用できる場合のものとがある。不透水性シートには、熱可塑性合成繊維製の織布や熱可塑性合成樹脂製のフィルムを使用することができる。吸水性および／または吸湿性のシートには、綿布や高吸収口吸湿性であるベルオアシス（登録商標）を使用することができる。中間シート５２は、ブリッジ４１を曲げ難いものにして、すなわち曲げ剛性の高いものにして、失禁パッド等の取り付けを容易にすることができる他に、着用者の骨盤底筋をブリッジ４１によって下方から確実に支えることができるように作用する。中間シート５２は、ショーツ１の前後方向において非伸長性であるか容易には伸長することのないシート、例えば伸長力の大きいパワーネットで形成される。外面シート５３は、ブリッジ４１を非伸長性であるか容易には伸長することのないものにする他に、失禁パッド等における粘着性のウイング部分（図示せず）をブリッジ４１に剥離可能に止着することができるようにするためのものであって、それには例えばポリエステル繊維で形成されたマーキゼットが使用される。なお、ブリッジ４１が内面シート５１と外面シート５３とによって所要の目的を達成できる場合には、中間シート５２の使用を省くことができる。また、クロッチ部４に吸水性および／または吸湿性を持たせるときには、内面シート５１だけではなくて、内面シート５１と中間シート５２とに綿布やベルオアシス（登録商標）を使用する一方、外面シート５３に不透水性シートを使用することができる。さらには、外面シート５３にも綿布やベルオアシス（登録商標）を使用することができる。図２の（ａ）のブリッジ４１は、前端部分４１ａが横方向Ｂの全体においてクロッチ部４に縫合されているが、縦方向Ａへ延びる両側縁部４１ｃはクロッチ部４に対して非縫合状態にある。ただし、前端部分４１ａは、横方向Ｂにおける両端部のみがクロッチ部４に縫合されていてもよい。図において明らかなように、ブリッジ４１の幅はクロッチ部４の幅よりも小さいが、失禁パッドの取り付け状態を安定させることができるように、ブリッジ４１の最小幅は少なくとも５−８ｃｍの範囲にあることが好ましい。
【００２１】
図２の（ｂ）において、後胴回り部３には、身生地１２のためのツーウェイストレッチ生地として、横方向Ｂにおける伸長力がベア天竺の伸長力よりも大きいＣＳＹ天竺を使用することもできる。また、後胴回り部３の左臀部３Ｌと右臀部３Ｒとのそれぞれでは、ウエストベルト部２１に沿って横方向Ｂへ延びる部分に対する当て布として、後胴回り部３における身生地１２よりも大きい伸長力を有する生地、例えば一枚のパワーネット６１が縫合線６，１８，３２，６２において縫合されている。そのパワーネット６１は、ウエストベルト部２１に進入している。身生地１２に対して形成されている縫合線６２は、縫合線６（図２の（ａ）参照）と縫合線１８との間にあって上方に向かって凸となるような弧を画いていて、縫合線１９につながっている。また、クロッチ部４の後端部分４ｄから脇部を覆う部分７ｂの下端部６３に至るまでの着用者の臀溝に沿う臀溝部分３５と、脇部を覆う部分７ｂの下端部６３からウエストベルト部２１に至るまでの脇部を覆う部分７ｂとには、当て布として身生地１２よりも大きい伸長力を有する、例えば二枚重ねのパワーネット６４が縫合線６（図２（ａ）参照），１８，３３，６６によって身生地１２に縫合されている。縫合線６６は、縫合線１８と縫合線３２との間にあって、弧を画いて延びている。後胴回り部３ではまた、中心線Ｃ−Ｃに沿って縦方向Ａへ延びる非伸長性の中間第１シート６７ａが縫合線１４においてクロッチ部４に縫合されている。また、中心線Ｃ−Ｃに沿って縦方向Ａへ延びる中間第２シート６７ｂは、上端部６８ａが縫合線３２においてウエストベルト部２１に縫合され、下端部６８ｂが縫合線１９において中間第１シート６７ａに縫合されている。中間第２シート６７ｂは縦方向Ａと横方向Ｂとのうちの少なくとも縦方向Ａにおいて弾性的に伸長可能な生地、例えば後胴回り部３の身生地１２の共布よって形成されている。ブリッジ４１は、その後端部分４１ｂが横方向Ｂの全体において縫合線１４によってクロッチ部４の後端部分４ｄに縫合されている。ただし、ブリッジ４１は、後端部分４１ｂの両端部のみがクロッチ部４に縫合されていてもよいものである。
【００２２】
図３は、図１のＩＩＩ−ＩＩＩ線切断面を示す模式図であって、ＩＩＩ−ＩＩＩ線は中心線Ｃ−Ｃに一致している。なお、図１，２では前胴回り部２と後胴回り部３とが重なり合う状態にあったが、図３では、クロッチ部４とブリッジ４１とを明示することができるように、前胴回り部２と後胴回り部３とがショーツ１の前後方向Ｄにおいて離間させてある。また、仮想線で示されたショーツ１は、前胴回り部２と後胴回り部３とがさらに離間したときの状態にある。
【００２３】
図３において、前後方向Ｄへ弾性的に伸長可能なクロッチ部４は、弛緩した状態にあって、縫合線１３と１４との間においてＩＩＩ−ＩＩＩ線に沿う長さＰを有する。非伸長性であるか容易に伸長することのないブリッジ４１は、縫合線１３と１４との間において長さＱを有する。ただし、この発明において、ブリッジ４１が非伸長性のものであるというときには、ショーツ１の中心線Ｃ−Ｃ上においてクロッチ部４をブリッジ４１の長さにまで伸長したときに、ブリッジ４１が伸長していないものであることを意味している。ここで、ブリッジ４１が伸長していないということは、クロッチ部４をブリッジ４１と同じ長さにまで伸長したときに、ブリッジ４１の長さＦがクロッチ部４を伸長する前の長さＦ０の１．０５倍を越えていないことを意味している。長さＦ０とＦとは、中心線Ｃ−Ｃに沿って測定される長さである。また、ブリッジ４１が容易に伸長することのないものであるというときには、ブリッジ４１のうちで中心線Ｃ−Ｃ上に位置する幅が５−１０ｍｍ、より好ましくは幅が１０ｍｍの部分が、その長さの１０％以上の長さにまで伸長可能ではあるが、１０％伸長時の伸長力は、クロッチ部４のうちで中心線Ｃ−Ｃ上に位置する幅が５−１０ｍｍ、より好ましくは幅が１０ｍｍの部分がその長さの１０％だけ伸長するときの伸長力よりも大きいことを意味している。そのようなショーツ１が３０代後半から５０代前半の女性用のものである場合の一例において、ブリッジ４１の長さＱは１９−２１ｃｍに設定され、クロッチ部４の長さＰは長さＱよりも４−６ｃｍ短い寸法に設定される。ショーツ１が着用されてクロッチ部４が前後方向Ｄへ引張られると、長さＰは長さＱに等しい寸法にまで容易に変化する。着用前のショーツ１が図３の状態にあるときには、クロッチ部４がほぼＵ字形を画いているのに対して、クロッチ部４よりも寸法が長いブリッジ４１は図示例の如く屈曲した形状になったり、幾重にも折れ曲がることによって多数のギャザーが生じた形状になったりする。その形状は、ブリッジ４１が折れ曲がるように変形し易い柔軟なものであるか否かということや寸法Ｐと寸法Ｑとの差等によって変化する。ただし、この発明に係る好ましいショーツ１では、ブリッジ４１が幾重にも折れ曲がることがないような高い剛性を有するものであることによって、小さなギャザーを生じることなく図示例の如く屈曲または湾曲し、クロッチ部４とブリッジ４１との間には横方向Ｂからの視認が容易な間隙６０が形成されている。好ましいショーツ１ではまた、仮想線で示されるように、クロッチ部４を伸長させることなく前胴回り部２と後胴回り部３とを大きく離間させたときにおいても、間隙６０が形成されている。クロッチ部４とブリッジ４１とがこのような関係にあるショーツ１では、それを裏返しにして図２の（ａ）、（ｂ）の状態にすると、ブリッジ４１は下方に向かってクロッチ部４よりも長く延びるものになる。
【００２４】
ショーツ１を着用するときに、ウエストベルト部２１を持ってショーツ１が引き上げられて、それとともにクロッチ部４が前後方向Ｄへ弾性的に伸長すると、クロッチ部４の長さＰが次第にブリッジ４１の長さＱに近づいて、屈曲していたブリッジ４１が縫合線１３と１４との間において緊張状態となるように延びる。クロッチ部４は、それがさらに弾性的に伸長すると、長さＰが長さＱと同じになり、ブリッジ４１を押し上げるように作用して、ブリッジ４１を肌に密着させる。このように作用するクロッチ部４とブリッジ４１とは、着用者の腹部を圧迫することがないようにこれらに対する縫合線１３（図２の（ａ）参照）が恥骨に相当する位置にあることが好ましい。そのようなクロッチ部４とブリッジ４１とはまた、恥骨と肛門との間、より好ましくは恥骨から尾骨までの間に延びていると、着用者の身体に密着したときに骨盤底筋を支えるように押し上げて、緩んでいる骨盤底筋であってもそれが収縮することを可能にする。
【００２５】
着用したショーツ１ではまた、ブリッジ４１の最下端部４１ｄからショーツ１の頂縁２０までの距離Ｒ（図２の（ａ）参照）を調整して、ウエストベルト部２１が腸骨の上方に位置するようにすることによって、より好ましくは腸骨稜に上方から当たるような位置にあることによって、ブリッジ４１がずり下がることなく、身体に対して密着している状態を維持することができる。このことは、ブリッジ４１に取り付けた失禁パッドが身体に密着し続けることを意味している。
【００２６】
ショーツ１ではさらにはまた、後胴回り部３におけるウエストベルト部２１の横方向Ｂへの伸長力が、前胴回り部２におけるウエストベルト部２１の横方向Ｂへの伸長力よりも大きくなるように形成されていることによって、ショーツ着用者の腹圧が前胴回り部２を前方へ押しやるように作用して骨盤を押し下げるように作用することが抑えられ、その結果として、ショーツ１は骨盤底筋の緩みに起因する腹圧性失禁を防止できるという効果を奏する。横方向Ｂにおいて、前胴回り部２におけるウエストベルト部２１の伸長力と後胴回り部３におけるウエストベルト部２１の伸長力とに差を持たせるには、図示例の如く、後胴回り部３において使用しているパワーネット６１や６４を身生地１２とともにウエストベルト部２１の構成材料として使用すればよい。そのようなウエストベルト部２１では、ウエストベルト部２１を形成しているシート状部材の重なり合う枚数が前胴回り部２におけるよりも後胴回り部３における枚数が多くなっている。なお、ウエストベルト部２１は、横方向Ｂへの弾性的な伸長力を調整するために、胴回り開口１ａを周回する帯状ゴムを含むものであってもよい。ショーツ１はまた、前胴回り部２に使用している身生地１１の横方向Ｂにおける伸長力よりも後胴回り部３に使用している身生地１２の横方向Ｂにおける伸長力を大きくすることによっても、腹圧を着用者の前方へ逃がすことができる。身生地１１にベア天竺を使用し、身生地１２にＣＳＹ天竺を使用するのは、その一例である。
【００２７】
着用したショーツ１ではさらにまた、臀溝を覆う部分３５に縫合されている伸長力の大きい二枚重ねのパワーネット６４が臀溝に沿って、好ましくは弾性的に伸長した状態で骨盤を臀部の下方から支えることができる。また、脇部を覆う部分７ｂに縫合されている伸長力の大きい二枚重ねのパワーネット６４は、骨盤を側方から支えて、骨盤の側方へ広がろうとする動きを抑えることができる。骨盤がこのように支えられることによって、骨盤底筋は収縮することが容易になる。さらには、前胴回り部２のうちで着用者の腹部を覆う部分である中央部分２ａ（図１（ａ）参照）、具体的には恥骨に相当する部分よりも上方にあって左右の腸骨に相当する部分の間にある中央部分２ａが二方向へ弾性的に伸張する身生地１１のみで形成されていることによって、着用者が重い荷物を持ったとき等に生じる腹圧は、それを中央部分２ａからショーツ１の外側に向かって逃がし、腹圧が骨盤底筋を押し下げるように作用することを防ぐことができる。骨盤がこのように支えられたり、腹圧をこのように逃がしたりすることができることによって、ゆるんでいる骨盤底筋であっても膀胱や尿道を支えることができるようになり、その結果として尿道が締まるようになるから、着用者が咳をしたり、重い荷物を持ったりして腹圧がかかったときでも尿失禁を防ぐことができる。
【００２８】
すなわち、このショーツ１は、妊娠や出産、肥満等が原因となって骨盤底筋がゆるんで膀胱や尿道が下がってしまい、咳をしたり、重い荷物を持ったりして腹圧がかかったときには尿道をうまく締めることができず、尿が漏れ易いという場合において、特に優れた効果を発揮することができる。加えて、ブリッジ４１には失禁パッド(図示せず)を予め取り付けておくことによって、失禁パッドを身体に密着させることができ、尿が漏れたときのそなえにすることができる。
【００２９】
ショーツ１の一例において、ベア天竺には、８９質量％の綿糸と、１１質量％のウレタン糸とを含み、１ｍ２当たりの質量が１５０−１６０ｇのものを使用することができる。ＣＳＹ天竺には、５６質量％のレーヨン糸と、３５質量％の綿糸と、９質量％のウレタン糸とを含み、１ｍ２当たりの質量が１６５−１７５ｇのものを使用することができる。サテンには、１００質量％のポリエステル糸で形成され、１ｍ２当たりの質量が１５５−１６５ｇのものを使用することができる。パワーネットには、８２質量％のナイロン糸と、１８質量％のウレタン糸とを含み、１ｍ２当たりの質量が１４５−１５５ｇのものを使用することができる。クロッチ部４における内面シート５１には１００質量％のポリエステル糸で形成され、１ｍ２当たりの質量が１０５−１１５ｇのものを使用することができる。外面シート５３には、１００質量％のポリエステル糸で形成され、１ｍ２当たりの質量が５５−６５ｇのマーキゼットを使用することができる。
【００３０】
この発明において、前胴回り部２や後胴回り部３、クロッチ部４、ブリッジ４１においての縦方向Ａ、横方向Ｂおよび前後方向Ｄのいずれかにおける伸長力を比較するには、次のようにする。すなわち、伸長すべき方向の寸法が４０ｍｍ、その方向に直交する方向の寸法が１０ｍｍの矩形の試片を各部から採取し、引張り試験機におけるチャック間距離が３０ｍｍとなるように前記試片の長さ方向の両端部を５ｍｍずつ把持して伸長すべき方向へ５０ｍｍ／ｍｉｎの速度で引っ張ったときの３％伸長時または１０％伸長時、すなわち引っ張る前の長さよりも３％または１０％だけ長くなったときにおける伸長力をもって比較する。
【００３１】
また、前胴回り部２に位置するウエストベルト部２１と後胴回り部３に位置するウエストベルト部２１との横方向Ｂにおける伸長力を比較するには、次のようにする。すなわち、ショーツ１において、縫合線３２の下方２−３ｍｍの位置でウエストベルト部２１を切り離す。切り離したウエストベルト部２１は、縫合線６において前胴回り部分と後胴回り部分とに切り分ける。各部分は、横方向Ｂにおける両端部分それぞれを１０ｍｍずつ引張り試験機のチャックにつかませて、５０ｍｍ／ｍｉｎの速度で引張る。チャック間の距離をＬ０とし、その距離Ｌ０が１０％長くなったときの伸長力をもって、各部分の伸長力を比較する。
【００３２】
以上に記載したこの発明に関する開示は、少なくとも下記事項に整理することができる。
【００３３】
縦方向と横方向と前後方向とを有し、前胴回り部と後胴回り部とクロッチ部とが形成され、これら各部がショーツ着用者の肌に対向する内面を有し、前記クロッチ部の前端部分が前記前胴回り部に縫合される一方、前記クロッチ部の後端部分が前記後胴回り部に縫合され、前記クロッチ部の前記内面の側には前記前端部分と前記後端部分との間に延びるブリッジが形成されているショーツであって、
前記クロッチ部は、前記ショーツの前記縦方向と前記横方向とに弾性的な伸長性を有し、前記横方向の中央部分における前記前後方向の伸長力が前記横方向の両側部分における前記前後方向の伸長力よりも大きく、
前記前端部分と前記後端部分との間では、前記クロッチ部の長さが前記ブリッジの長さよりも短いことを特徴とする前記ショーツ。
【００３４】
上記段落に開示したこの発明は、少なくとも下記の実施の形態を含むことができる。その実施の形態は、互いに分離して又は互いに組み合わせて採択することができる。
（１）前記ブリッジは、１０％伸長時の前記前後方向の伸長力が前記クロッチ部の前記中央部における前記縦方向の伸長力よりも大きい。
（２）前記ブリッジは非伸長性のものであって、前記クロッチ部が前記ブリッジの長さと同じ長さにまで前記前後方向へ弾性的に伸長しても、前記ブリッジは前記前後方向へは伸長することがない。
（３）前記前胴回り部は、少なくとも前記横方向の中央部分における前記縦方向の伸長力が前記クロッチ部の前記中央部分における前記前後方向の伸長力よりも小さい。
（４）前記ショーツの最上部を形成する前記前胴回り部と前記後胴回り部との頂部には、前記横方向へ弾性的に伸長可能であって前記ショーツの胴回り開口を周回するウエストベルト部が形成されている。
（５）前記ウエストベルト部は、前記前胴回り部に形成される部分の前記横方向における伸長力が前記後胴回り部に形成されている部分の前記横方向における伸長力よりも小さい。
（６）前記前胴回り部における前記ウエストベルト部では、前記前胴回り部を形成しているシート部材が重ね合せてあり、前記後胴回り部における前記ウエストベルト部では、前記後胴回り部を形成しているシート部材が重ね合せてあって、前記前胴回り部で重ね合せてある前記シート部材の枚数が前記後胴回り部で重ねてある前記シート部材の枚数よりも少ない。
（７）前記ウエストベルト部は、前記ショーツの着用者の腸骨の上方で前記着用者に密着可能なものである。
【符号の説明】
【００３５】
１    ショーツ
２    前胴回り部
３    後胴回り部
４    クロッチ部
４ａ    中央部分
４ｂ    両側部分
４ｃ    前端部分
４ｄ    後端部分
２０    頂縁
２１    ウエストベルト部
４１    ブリッジ
４１ａ    前端部分
４１ｂ    後端部分
６３    下端部
Ａ    縦方向
Ｂ    横方向
Ｄ    前後方向
【図１】
2015048546.tif 000003
【図２】
2015048546.tif 000004
【図３】
2015048546.tif 000005